(57)【要約】【課題】種々の照明装置の構成としての利用を容易化すること。【解決手段】実施形態の照明用ユニットは、枠体と、ヒートシンクと、光源と、係止部とを備える。枠体は、一端部に開口が形成される。ヒートシンクは、枠体の他端部側に配置される。光源は、ヒートシンクに設けられ、開口に臨む。係止部は、枠体の外周壁から突出する突起であって、枠体の外周壁に重なり、光源の光取出方向側に設けられる配光用部材を係止する。【選択図】図３
2018186047.tif 000002
【特許請求の範囲】
【請求項１】
一端部に開口が形成される枠体と、
前記枠体の他端部側に配置されるヒートシンクと、
前記ヒートシンクに設けられ、前記開口に臨む光源と、
前記枠体の外周壁から突出する突起であって、前記枠体の外周壁に重なり、前記光源の光取出方向側に設けられる配光用部材を係止する係止部と、
を備えた照明用ユニット。
【請求項２】
前記枠体は、前記光源の前記光取出方向側に臨む反射面が形成される請求項１に記載の照明用ユニット。
【請求項３】
前記係止部は、前記枠体を挿入可能な筒状の前記配光用部材の一端部に設けられた切欠き溝の底部から周方向の一方向側へ延びる延伸部内に配置されることにより、前記配光用部材を前記配光用部材の軸方向への移動を規制する請求項１または請求項２に記載の照明用ユニット。
【請求項４】
前記係止部は、前記枠体の外周に沿って複数設けられ、各係止部が、前記配光用部材に設けられた複数の切欠き溝の各々の前記延伸部内に配置されることにより、前記配光用部材を前記配光用部材の軸方向への移動を規制する請求項３に記載の照明用ユニット。
【請求項５】
前記枠体の外周に設けられ、前記配光用部材から前記配光用部材の内周側へ突出する突出部の前記周方向の両端部のうち、前記一方向側の端部に当接することにより、前記周方向の前記一方向への前記配光用部材の回転を規制する回転規制部、
をさらに備える請求項３または請求項４に記載の照明用ユニット。
【請求項６】
前記回転規制部は、前記突出部の前記一方向の反対方向側の端部に当接することにより、前記反対方向への前記配光用部材の回転を規制する第１規制部と、前記突出部の前記周方向の前記一方向側の端部に当接することにより、前記一方向への前記配光用部材の回転を規制する第２規制部とを有する請求項５に記載の照明用ユニット。
【請求項７】
前記回転規制部は、前記配光用部材の外周に沿って取り付けられた複数の取付部材のうち、一の取付部材の前記突出部に対応する位置に設けられる請求項６に記載の照明用ユニット。
【請求項８】
前記一の取付部材以外の他の取付部材に対応する位置に、前記他の取付部材の前記突出部の前記反対方向側の端部に当接することにより、前記一方向への前記配光用部材の回転を規制する他の回転規制部、
をさらに備える請求項７に記載の照明用ユニット。
【請求項９】
前記係止部は、第１の配光用部材と第２の配光用部材との２つの前記配光用部材を交換可能に係止する請求項１〜８のいずれか１項に記載の照明用ユニット。
【請求項１０】
請求項１〜９のいずれか１項に記載の照明用ユニットと、
筒状に形成され、一端部側が前記係止部により前記枠体に係止される第１の配光用部材と、
前記第１の配光用部材の他端側に配置され光を放射する開口を有するカバーと、
を備える照明装置。
【請求項１１】
前記第１の配光用部材内に配置され、前記カバーの前記開口以外に重なる遮光板、
をさらに備える請求項１０に記載の照明装置。
【請求項１２】
前記カバーは、樹脂材料により形成され、
前記遮光板は、金属材料により形成される請求項１１に記載の照明装置。
【請求項１３】
前記第１の配光用部材内において前記光源の光取出方向側に配置されるレンズと、
前記第１の配光用部材内において前記枠体との間に前記光源を挟む位置に配置され、一端側に前記レンズを保持する筒状のレンズホルダと、
をさらに備える請求項１０〜１２のいずれか１項に記載の照明装置。
【請求項１４】
請求項１〜８のいずれか１項に記載の照明用ユニットと、
前記係止部により前記枠体に係止される第２の配光用部材と、
前記第２の配光用部材内において、前記光源の光取出方向側に配置されるレンズと、
前記第２の配光用部材内において前記枠体との間に前記光源を挟む位置に配置され、一端側に前記レンズを保持する筒状のレンズホルダと、
前記レンズホルダの前記一端側に配置され前記レンズホルダを保持し、光を放射する開口を有するカバーと、
を備える照明装置。
【請求項１５】
前記レンズは、前記光源から出射される光を楕円状に配光する請求項１４に記載の照明装置。
【請求項１６】
前記レンズホルダは、回転可能に前記第２の配光用部材内に配置され、
前記レンズは、前記レンズホルダとともに回転可能に前記レンズホルダに保持される請求項１４または請求項１５に記載の照明装置。
【発明の詳細な説明】
【技術分野】
【０００１】
本発明は、照明用ユニット及び照明装置に関する。
【背景技術】
【０００２】
従来から、ピンホールライトやダウンライト（ユニバーサル）等の種々の照明装置が提供されている。
【先行技術文献】
【特許文献】
【０００３】
【特許文献１】特開２０１２−０４８９９６号公報
【発明の概要】
【発明が解決しようとする課題】
【０００４】
このようなダウンライトやピンホールライト等の種々の照明装置において、共通する構成については、複数の照明装置において利用可能であることが望まれている。しかしながら、上記の従来技術では、器具本体（配光用部材）と放熱フィン（ヒートシンク）を一体的に接合するため、ヒートシンク等を含む照明ユニットを他の照明装置の構成として利用することが難しい。
【０００５】
本発明は、上記に鑑みてなされたものであって、種々の照明装置の構成としての利用を容易化することができる照明用ユニット及び照明装置を提供することを目的とする。
【課題を解決するための手段】
【０００６】
上述した課題を解決し、目的を達成するために、本発明の一態様に係る照明用ユニットは、一端部に開口が形成される枠体と、前記枠体の他端部側に配置されるヒートシンクと、前記ヒートシンクに設けられ、前記開口に臨む光源と、前記枠体の外周壁から突出する突起であって、前記枠体の外周壁に重なり、前記光源の光取出方向側に設けられる配光用部材を係止する係止部と、を備える。
【発明の効果】
【０００７】
本発明の一態様によれば、種々の照明装置の構成としての利用を容易化することができる。
【図面の簡単な説明】
【０００８】
【図１】図１は、第１の実施形態に係る照明装置を示す斜視図である。
【図２】図２は、第１の実施形態に係る照明装置を示す斜視図である。
【図３】図３は、第１の実施形態に係る照明ユニットを示す斜視図である。
【図４】図４は、第１の実施形態に係る照明装置の要部を示す図である。
【図５】図５は、第１の実施形態に係る照明装置の要部を示す斜視図である。
【図６】図６は、第１の実施形態に係る照明装置の要部を示す平面図である。
【図７】図７は、第１の実施形態に係るカバーを示す斜視図である。
【図８】図８は、第１の実施形態に係るレンズホルダを示す斜視図である。
【図９】図９は、第１の実施形態に係るレンズの配置を示す平面図である。
【図１０】図１０は、第２の実施形態に係る照明装置を示す斜視図である。
【図１１】図１１は、第２の実施形態に係る照明装置を示す斜視図である。
【図１２】図１２は、第２の実施形態に係る照明装置の要部を示す図である。
【図１３】図１３は、第２の実施形態に係る照明装置の要部を示す斜視図である。
【図１４】図１４は、第２の実施形態に係る照明装置の要部を示す平面図である。
【図１５】図１５は、第２の実施形態に係るカバーとレンズホルダとの関係を示す斜視図である。
【図１６】図１６は、第２の実施形態に係るレンズの配置を示す平面図である。
【発明を実施するための形態】
【０００９】
以下の第１の実施形態においては、照明用ユニット２を用いたスポットライトである照明装置１について図面を参照して説明する。なお、以下に説明する第１の実施形態に係る照明装置１により照明用ユニットの用途が限定されるものではない。照明用ユニットは、照明装置１に限らず、利用可能な照明装置であれば、目的に応じてどのような照明装置に用いられてもよい。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１０】
（第１の実施形態）
まず、図１及び図２を用いて、照明装置１の構成の概要を説明する。図１及び図２は、第１の実施形態に係る照明装置を示す斜視図である。具体的には、図１は、照明装置１のヒートシンク２０の配置側から見た斜視図である。また、図２は、照明装置１の配光用ユニット３の配置側から見た斜視図である。
【００１１】
照明装置１は、照明用ユニット２と、配光用ユニット３とを有する。照明用ユニット２は、枠体１０と、ヒートシンク２０と、光源３０（図３参照）とを有する。また、配光用ユニット３は、配光用部材としてのバッフル４０と、カバー５０と、レンズホルダ６０（図６参照）、レンズ６５とを有する。
【００１２】
まず、照明用ユニット２の各構成について説明する。図３に示すように、枠体１０は、有底円筒状の基部１１と、基部１１の開口側の周端から突出する係止部１２とを有する。図３は、第１の実施形態に係る照明ユニットを示す斜視図である。また、図１に示すように、ヒートシンク２０は、リブ部２１と、リブ部２１から放射状に延びるフィン部２２とを有する。また、光源３０は、一面に発光素子３１１が設置される基板３１と、基板３１を保持する保持部材３２とを有する。例えば、発光素子３１１は、ＬＥＤ（Light  Emitting  Diode）であり、光源３０は、チップオンボード（ＣＯＢ：Chip  On  Board）等であってもよい。また、例えば、保持部材３２は、ＣＯＢホルダ等であってもよい。
【００１３】
枠体１０の基部１１の底部１１１は、中央部分が開口しており、底部１１１の開口部分に光源３０が配置される。図３に示すように、基部１１の底部１１１には、発光素子３１１が設置される一面を基部１１の開口に向けて配置される。以下では、発光素子３１１から基部１１の開口に向かう方向を「光源３０の光取出方向」とする場合がある。
【００１４】
基部１１の底部１１１の外面側にヒートシンク２０が配置される。例えば、底部１１１の中央部分に重なる位置に、ヒートシンク２０のリブ部２１が配置される。ヒートシンク２０は、フィン部２２がねじ部材２２１により、基部１１の取付部１１２に設けられた挿通孔にねじ止めさせることにより、枠体１０に取り付けられる。
【００１５】
また、光源３０は、保持部材３２がねじ部材３２１により、リブ部２１に設けられた挿通孔にねじ止めさせることにより、ヒートシンク２０に取り付けられる。これにより、光源３０とヒートシンク２０とが熱的に接触する。このように、光源３０の基板３１の裏面側に、ヒートシンク２０が設けられることにより、基板３１からの熱を裏面側のヒートシンク２０へ効率的に伝熱することができる。
【００１６】
基部１１には、開口に向かうにつれて径を大きくする傾斜面である反射面１３が形成される。このように、基部１１には、光取出方向側に臨む反射面１３が形成される。
【００１７】
係止部１２は、基部１１において反射面１３が形成される部分の外周壁に設けられる。例えば、基部１１の外周壁には、３つの係止部１２が、外周に沿って等間隔で設けられる。例えば、３つの係止部１２が、基部１１の外周壁に沿って１２０°間隔で設けられる。図３に示す例では、３つの係止部１２が、基部１１において反射面１３が形成される部分の外周壁に設けられる。
【００１８】
また、基部１１の開口側の外周端には、径方向へ延びる載置部１２１が設けられる。例えば、基部１１の外周壁には、３つの載置部１２１が、開口側の外周端に沿って等間隔で設けられる。例えば、３つの載置部１２１が、開口側の外周端に沿って１２０°間隔で設けられる。図３に示す例では、３つの載置部１２１が、３つの係止部１２の各々に重なる位置に設けられる。
【００１９】
また、基部１１の底部１１１側の外周には、回転規制部１４や回転規制部１５が設けられる。回転規制部１４は、径方向へ突出する第１規制部１４１と、挿通部４５４が挿通可能な幅だけ基部１１の周方向に第１規制部１４１から離間し、径方向へ突出する第２規制部１４２とを有する。回転規制部１５は、径方向へ突出する。例えば、基部１１の外周壁には、１つの回転規制部１４と２つの回転規制部１５が、開口側の外周端に沿って等間隔で設けられる。例えば、１つの回転規制部１４の第１規制部１４１と２つの回転規制部１５が、開口側の外周端に沿って１２０°間隔で設けられる。
【００２０】
次に、配光用ユニット３の各構成について説明する。図１に示すように、バッフル４０は、円筒状に形成される。ここで、バッフル４０の内径は、枠体１０の基部１１において載置部１２１を含む部分の外径よりも大きく、枠体１０の基部１１において係止部１２を含む部分の外径よりも小さいものとする。また、バッフル４０の軸方向の一端部には、切欠き溝４１が設けられる。また、バッフル４０の軸方向の他端部には、径方向へ延びるフランジ部４２が外周に沿って形成される。
【００２１】
また、バッフル４０の軸方向の他端部には、取付溝４３が設けられる。例えば、バッフル４０の他端部には、３つの取付溝４３が、他端部側の外周端に沿って等間隔で設けられる。例えば、３つの取付溝４３が、他端部側の外周端に沿って１２０°間隔で設けられる。また、取付溝４３内には、後述するカバー５０の引掛孔５１１を係止する引掛部４３１が設けられる。
【００２２】
ここで、図４〜図６を用いて、照明用ユニット２と配光用ユニット３との取付けについて説明する。図４は、第１の実施形態に係る照明装置の要部を示す図である。具体的には、図４は、係止部１２と切欠き溝４１との連結部分を示す図である。図５は、第１の実施形態に係る照明装置の要部を示す斜視図である。具体的には、図５は、回転規制部１４と固定部材４５との関係を示す図である。図６は、第１の実施形態に係る照明装置の要部を示す平面図である。
【００２３】
切欠き溝４１は、底部４１１と、底部４１１から周方向の一方向側へ延びる延伸部４１２とを有する。図６に示す例では、切欠き溝４１は、底部４１１から時計回りの方向側へ延びる延伸部４１２を有する。以下では、図６中の時計回りの方向を「一方向」とする。切欠き溝４１の底部４１１の幅は、係止部１２の周方向の幅よりも大きく、係止部１２が挿通可能であるものとする。また、切欠き溝４１の延伸部４１２の高さは、係止部１２の枠体１０の軸方向の高さよりも大きく、係止部１２が挿通可能であるものとする。例えば、基部１１の外周壁には、３つの切欠き溝４１が、軸方向の一端側の外周端に沿って等間隔で設けられる。例えば、３つの切欠き溝４１が、軸方向の一端側の外周端に沿って１２０°間隔で設けられる。図６に示す例では、３つの切欠き溝４１が、枠体１０の３つの係止部１２の各々に対応する位置に設けられる。
【００２４】
例えば、バッフル４０内には、枠体１０が開口側から軸を揃えて挿入される。具体的には、バッフル４０内には、３つの切欠き溝４１の位置に３つの係止部１２の各々を重ねて、枠体１０が開口側から軸を揃えて挿入される。また、枠体１０は、各係止部１２が対応する切欠き溝４１の底部４１１付近に到達までバッフル４０内に挿入された状態において、一方向へ回転される。これにより、枠体１０の各係止部１２が対応する切欠き溝４１の延伸部４１２内に配置される。このように、係止部１２が切欠き溝４１の延伸部４１２内に配置されることにより、バッフル４０を枠体１０に対してバッフル４０の軸方向への移動を規制することができる。なお、照明装置１は、切欠き溝４１の外周端付近に形成されるテーパ部４１３や、延伸部４１２に形成されるテーパ部４１４により、係止部１２が切欠き溝４１内に案内され、係止部１２が延伸部４１２内に配置されやすくすることができる。以下では、係止部１２が切欠き溝４１の延伸部４１２内に配置された状態における枠体１０の位置を「枠体１０の固定位置」とする場合がある。
【００２５】
枠体１０の固定位置において、バッフル４０には、１つの回転規制部１４と２つの回転規制部１５とに各々対応する位置に３つの取付部材４５−１、４５−２、４５−３が設けられる。図６に示すように、回転規制部１４に対応する位置には、取付部材４５−１が設けられ、２つの回転規制部１５に対応する位置には、取付部材４５−２、４５−３が各々設けられる。なお、取付部材４５−１〜４５−３を区別しない場合、取付部材４５と記載する。
【００２６】
図６に示すように、バッフル４０の外周には、取付部材４５が周方向へ沿って等間隔で取り付けられる。例えば、３つの取付部材４５−１、４５−２、４５−３が、バッフル４０の外周に沿って１２０°間隔で設けられる。例えば、照明装置１は、取付部材４５により天井等に設けられた埋込孔に固定される。具体的には、照明装置１は、バッフル４０の外周から外側へ向かって延びる取付部材４５により埋込孔に嵌り、天井に設置される。
【００２７】
また、取付部材４５は、弾性材料等により形成される。照明装置１における取付部材４５は、照明装置１の設置（取付）に用いられる板ばねである。例えば、照明装置１の設置者は、取付部材４５を押し狭めた状態でヒートシンク２０側から照明装置１を埋込孔に挿通する。バッフル４０が埋込孔に挿通された後、天井裏において、取付部材４５が自身の付勢により元の状態に広がることにより、バッフル４０が埋込孔に嵌り、照明装置１が天井に設置される。
【００２８】
取付部材４５は、バッフル４０から離れる方向にフランジ部４２に沿って延びる延伸部４５１と、延伸部４５１に連続しバッフル４０の外周壁に取り付けられる取付部４５２と、バッフル４０の軸方向の一端側の周端面に沿う支持部４５３とを有する。また、取付部材４５は、支持部４５３からバッフル４０の内周側へ突出する突出部４５４を有する。また、取付部材４５は、取付部４５２がねじ部材４５５によりバッフル４０の外周壁にねじ止めされることにより、バッフル４０に取り付けられる。
【００２９】
図６に示すように、枠体１０の固定位置において、取付部材４５−１の突出部４５４は、回転規制部１４の第１規制部１４１と第２規制部１４２との間に位置する。すなわち、バッフル４０に取り付けられた取付部材４５−１の突出部４５４には、バッフル４０の軸を中心とする回転方向の両方向に、第１規制部１４１と第２規制部１４２とが位置する。そのため、バッフル４０が枠体１０に対してバッフル４０の軸を中心とする回転が規制される。具体的には、取付部材４５−１の突出部４５４は、一方向とは反対方向側の端部に第１規制部１４１が当接することにより、反対方向へのバッフル４０の回転を規制する。これにより、取付部材４５−１の突出部４５４は、枠体１０の固定位置からさらに回転する方向へのバッフル４０の回転を抑制することができ、係止部１２に係る負荷を抑制することができる。
【００３０】
また、取付部材４５−１の突出部４５４は、一方向側の端部に第２規制部１４２が当接することにより、一方向へのバッフル４０の回転を規制する。これにより、取付部材４５−１の突出部４５４は、枠体１０の固定位置から回転前の位置に戻る方向へのバッフル４０の回転を抑制することができる。したがって、照明装置１は、枠体１０の係止部１２が切欠き溝４１から外れることを抑制できる。
【００３１】
また、図６に示すように、枠体１０の固定位置において、取付部材４５−２や取付部材４５−３の突出部４５４は、回転規制部１５の一方向側から回転規制部１５に当接する。そのため、取付部材４５−２や取付部材４５−３の突出部４５４は、一方向とは反対方向側の端部に回転規制部１５が当接することにより、反対方向へのバッフル４０の回転を規制する。これにより、取付部材４５−２や取付部材４５−３の突出部４５４は、枠体１０の固定位置からさらに回転する方向へのバッフル４０の回転を抑制することができ、係止部１２に係る負荷を抑制することができる。
【００３２】
このように、照明装置１は、一方向へのバッフル４０の回転を規制する第２規制部１４２を有する回転規制部１４を１つのみ有する。これにより、バッフル４０は、回転規制部１４に対応する取付部材４５−１をバッフル４０から取り外されることにより、枠体１０に対して一方向に回転可能になる。したがって、照明装置１の設置者等は、回転規制部１４に対応する取付部材４５−１をバッフル４０から取り外し、バッフル４０を枠体１０に対して一方向に回転させることにより、係止部１２と切欠き溝４１との連結を解除することができる。すなわち、照明装置１の設置者等は、取付部材４５−２及び取付部材４５−３を取り外すことなく、回転規制部１４に対応する取付部材４５−１のみを取り外すことにより、容易に照明用ユニット２から配光用ユニット３を取り外すことができる。したがって、照明装置１の設置者等は、照明用ユニット２に種々の配光用ユニットを取り付け可能となる。このように、照明用ユニット２は、係止部１２等の種々の照明装置の構成としての利用を容易化することができる。
【００３３】
ここから、図７〜図９を用いて、配光用ユニット３のカバー５０等について説明する。図７は、第１の実施形態に係るカバーを示す斜視図である。図８は、第１の実施形態に係るレンズホルダを示す斜視図である。図９は、第１の実施形態に係るレンズの配置を示す平面図である。
【００３４】
図７に示すように、カバー５０は、円板状に形成され、また、図１及び図２に示すように、カバー５０は、バッフル４０の他端部側に配置される。カバー５０は、バッフル４０のフランジ部４２の光取出方向側に臨む面に沿って配置される。例えば、カバー５０は、樹脂材料により形成される。
【００３５】
カバー５０の一面には、突出片５１が設けられる。例えば、カバー５０の一面には、３つの突出片５１が、カバー５０の周方向に沿って等間隔で設けられる。例えば、３つの突出片５１が、カバー５０の周方向に沿って１２０°間隔で設けられる。また、突出片５１の先端部には、バッフル４０の引掛部４３１に係止される引掛孔５１１が形成される。図１に示すように、カバー５０は、カバー５０の突出片５１が取付溝４３内に配置され、突出片５１の引掛孔５１１が取付溝４３の引掛部４３１に係止されることにより、バッフル４０に取り付けられる。
【００３６】
カバー５０の中央部には、円形の開口部５２が形成される。これにより、照明装置１においては、カバー５０の開口部５２により照明装置１外へ光が放射される。また、カバー５０の一面には、開口部５２の周付近に、規制片５３が設けられる。例えば、２つの規制片５３が、開口部５２の周方向に沿って等間隔で設けられる。例えば、２つの規制片５３が、開口部５２の周方向に沿って１８０°間隔で設けられる。
【００３７】
また、カバー５０の一面には、開口部５２の周付近に沿って案内壁５４が設けられる。案内壁５４は、後述するレンズホルダ６０の基部６１の形状に沿って配置される。例えば、６つの案内壁５４が、開口部５２の周方向に沿って等間隔で設けられる。例えば、６つの案内壁５４が、開口部５２の周方向に沿って６０°間隔で設けられる。
【００３８】
カバー５０の一面には、開口部５２及び案内壁５４に沿う円環状の遮光板５５が配置される。遮光板５５は、アルミ等の金属材料により形成される。また、遮光板５５には、カバー５０の規制片５３に重なる位置に、挿通孔５５１、５５２が設けられる。遮光板５５は、挿通孔５５１、５５２にカバー５０の２つの規制片５３が各々挿通されることにより、カバー５０に対する移動が規制される。このように、カバー５０において、光が放射される開口部５２の周辺に遮光板５５を配置することにより、カバー５０を透過して照明装置１外へ光が漏れることを抑制できる。また、挿通孔５５１は円形状、挿通孔５５２は径方向に長い長穴形状としている。これにより、挿通孔５５１では径方向、周方向ともに位置決めを行いつつ、挿通孔５５２は孔や規制片（例えば規制片５３等）の加工誤差を許容しながら周方向の位置決めを果たすことが可能となる。
【００３９】
バッフル４０内において、枠体１０とカバー５０との間にはレンズホルダ６０やレンズ６５が配置される。図８に示すように、レンズホルダ６０は、有底円筒状の基部６１を有する。例えば、レンズホルダ６０は、ポリカーボネート等の樹脂材料により形成されてもよい。
【００４０】
また、基部６１の一方の外周端６２には、内周から中心に延び、基部６１の軸方向に窪んだ段差部６２１が形成される。外周端６２は、レンズホルダ６０の底部６３とは反対側の端部である。また、外周端６２は、段差部６２１に重ねて内周から中心に延びる第１規制部６２２が形成される。例えば、外周端６２は、２つの第１規制部６２２が形成される。また、外周端６２は、段差部６２１に重ねて内周から中心に延びる第２規制部６２３が形成される。例えば、外周端６２は、３つの第２規制部６２３が形成される。図８に示すように、第１規制部６２２と第２規制部６２３とは異なる形状である。こうすることで、レンズ６５の表裏を間違えずに取り付けることが可能となる。
【００４１】
また、レンズホルダ６０の底部６３は、中央に開口部６３１が形成されており、底部６３の開口部６３１をカバー５０の開口部５２に重ねて配置される。レンズホルダ６０の底部６３に重なる位置には、カバー５０に設けられた遮光版５５が位置する。
【００４２】
レンズホルダ６０の外周端６２には、レンズ６５が配置される。図９に示すように、レンズ６５は、外形が外周端６２の段差部６２１と同様の形状に形成されており、レンズホルダ６０に対して、レンズホルダ６０の軸を中心とする回転方向に位置固定されて外周端６２に嵌る。
【００４３】
また、図６に示すように、レンズホルダ６０の外周端６２に沿って、枠体１０の載置部１２１が配置される。したがって、枠体１０の固定位置において、レンズホルダ６０の外周端６２に配置されたレンズ６５は、枠体１０の載置部１２１によりレンズホルダ６０の段差部６２１側に押圧される。これにより、レンズホルダ６０の外周端６２に配置されたレンズ６５は、レンズホルダ６０の段差部６２１と枠体１０の載置部１２１との間に挟まれることにより、レンズホルダ６０の軸方向への移動が規制される。
【００４４】
なお、照明用ユニット２は、照明装置１に限らず種々の照明装置に用いられてもよい。この点について、図１０〜図１５を用いて説明する。
【００４５】
（第２の実施形態）
以下の第２の実施形態においては、照明用ユニット２を用いたダウンライトである照明装置４について図面を参照して説明する。なお、実施形態と同様の構成については、実施形態と同じ符号を付し、適宜説明を省略する。
【００４６】
まず、図１０及び図１１を用いて、照明装置４の構成の概要を説明する。図１０及び図１１は、第２の実施形態に係る照明装置を示す斜視図である。具体的には、図１０は、照明装置４のヒートシンク２０の配置側から見た斜視図である。また、図１１は、照明装置４の配光用ユニット５の配置側から見た斜視図である。
【００４７】
照明装置４は、照明用ユニット２と、配光用ユニット５とを有する。照明用ユニット２は、枠体１０と、ヒートシンク２０と、光源３０とを有する。なお、照明用ユニット２の構成については、第１の実施形態と同様であるため説明を省略する。また、配光用ユニット５は、配光用部材としてのバッフル７０と、カバー８０と、レンズホルダ９０（図１４参照）、レンズ９５とを有する。
【００４８】
次に、配光用ユニット５の各構成について説明する。図１０に示すように、バッフル７０は、円筒状に形成される。ここで、バッフル７０の内径は、枠体１０の基部１１において載置部１２１を含む部分の外径よりも大きく、枠体１０の基部１１において係止部１２を含む部分の外径よりも小さいものとする。また、バッフル７０の軸方向の一端部には、切欠き溝７１が設けられる。また、バッフル７０の軸方向の他端部には、径方向へ延びるフランジ部７２が外周に沿って形成される。
【００４９】
また、バッフル７０の軸方向の他端部には、取付溝７３が設けられる。例えば、バッフル７０の他端部には、３つの取付溝７３が、他端部側の外周端に沿って等間隔で設けられる。例えば、３つの取付溝７３が、他端部側の外周端に沿って１２０°間隔で設けられる。また、取付溝７３内には、後述するカバー８０の引掛孔８１１を係止する引掛部７３１が設けられる。
【００５０】
ここで、図１２〜図１４を用いて、照明用ユニット２と配光用ユニット５との取付けについて説明する。図１２は、第２の実施形態に係る照明装置の要部を示す図である。具体的には、図１２は、係止部１２と切欠き溝７１との連結部分を示す図である。図１３は、第２の実施形態に係る照明装置の要部を示す斜視図である。具体的には、図１３は、回転規制部１４と固定部材７５との関係を示す図である。図１４は、第２の実施形態に係る照明装置の要部を示す平面図である。
【００５１】
切欠き溝７１は、底部７１１と、底部７１１から周方向の一方向側へ延びる延伸部７１２とを有する。図１４に示す例では、切欠き溝７１は、底部７１１から時計回りの方向側へ延びる延伸部７１２を有する。以下では、図１４中の時計回りの方向を「一方向」とする。切欠き溝７１の底部７１１の幅は、係止部１２の周方向の幅よりも大きく、係止部１２が挿通可能であるものとする。また、切欠き溝７１の延伸部７１２の高さは、係止部１２の枠体１０の軸方向の高さよりも大きく、係止部１２が挿通可能であるものとする。例えば、基部１１の外周壁には、３つの切欠き溝７１が、軸方向の一端側の外周端に沿って等間隔で設けられる。例えば、３つの切欠き溝７１が、軸方向の一端側の外周端に沿って１２０°間隔で設けられる。図１４に示す例では、３つの切欠き溝７１が、枠体１０の３つの係止部１２の各々に対応する位置に設けられる。
【００５２】
例えば、バッフル７０内には、枠体１０が開口側から軸を揃えて挿入される。具体的には、バッフル７０内には、３つの切欠き溝７１の位置に３つの係止部１２の各々を重ねて、枠体１０が開口側から軸を揃えて挿入される。また、枠体１０は、各係止部１２が対応する切欠き溝７１の底部７１１付近に到達までバッフル７０内に挿入された状態において、一方向へ回転される。これにより、枠体１０の各係止部１２が対応する切欠き溝７１の延伸部７１２内に配置される。このように、係止部１２が切欠き溝７１の延伸部７１２内に配置されることにより、バッフル７０を枠体１０に対してバッフル７０の軸方向への移動を規制することができる。なお、照明装置４は、切欠き溝７１の外周端付近に形成されるテーパ部７１３や、延伸部７１２に形成されるテーパ部７１４により、係止部１２が切欠き溝７１内に案内され、係止部１２が延伸部７１２内に配置されやすくすることができる。以下では、係止部１２が切欠き溝７１の延伸部７１２内に配置された状態における枠体１０の位置を「枠体１０の固定位置」とする場合がある。
【００５３】
枠体１０の固定位置において、バッフル７０には、１つの回転規制部１４と２つの回転規制部１５とに各々対応する位置に３つの取付部材７５−１、７５−２、７５−３が設けられる。図１４に示すように、回転規制部１４に対応する位置には、取付部材７５−１が設けられ、２つの回転規制部１５に対応する位置には、取付部材７５−２、７５−３が各々設けられる。なお、取付部材７５−１〜７５−３を区別しない場合、取付部材７５と記載する。
【００５４】
図１４に示すように、バッフル７０の外周には、取付部材７５が周方向へ沿って等間隔で取り付けられる。例えば、３つの取付部材７５−１、７５−２、７５−３が、バッフル７０の外周に沿って１２０°間隔で設けられる。例えば、照明装置４は、取付部材７５により天井等に設けられた埋込孔に固定される。例えば、照明装置４は、バッフル７０の外周から外側へ向かって延びる取付部材７５により埋込孔に嵌り、天井に設置される。
【００５５】
また、取付部材７５は、弾性材料等により形成される。照明装置４における取付部材７５は、照明装置４の設置（取付）に用いられる板ばねである。例えば、照明装置４の設置者は、取付部材７５を押し狭めた状態でヒートシンク２０側から照明装置４を埋込孔に挿通する。バッフル７０が埋込孔に挿通された後、天井裏において、取付部材７５が自身の付勢により元の状態に広がることにより、バッフル７０が埋込孔に嵌り、照明装置４が天井に設置される。
【００５６】
取付部材７５は、バッフル７０から離れる方向にフランジ部７２に沿って延びる延伸部７５１と、延伸部７５１に連続しバッフル７０の外周壁に取り付けられる取付部７５２と、バッフル７０の軸方向の一端側の周端面に沿う支持部７５３とを有する。また、取付部材７５は、支持部７５３からバッフル７０の内周側へ突出する突出部７５４を有する。また、取付部材７５は、取付部７５２がねじ部材７５５によりバッフル７０の外周壁にねじ止めされることにより、バッフル７０に取り付けられる。
【００５７】
図１４に示すように、枠体１０の固定位置において、取付部材７５−１の突出部７５４は、回転規制部１４の第１規制部１４１と第２規制部１４２との間に位置する。すなわち、バッフル７０に取り付けられた取付部材７５−１の突出部７５４には、バッフル７０の軸を中心とする回転方向の両方向に、第１規制部１４１と第２規制部１４２とが位置する。そのため、バッフル７０が枠体１０に対してバッフル７０の軸を中心とする回転が規制される。具体的には、取付部材７５−１の突出部７５４は、一方向とは反対方向側の端部に第１規制部１４１が当接することにより、反対方向へのバッフル７０の回転を規制する。これにより、取付部材７５−１の突出部７５４は、枠体１０の固定位置からさらに回転する方向へのバッフル７０の回転を抑制することができ、係止部１２に係る負荷を抑制することができる。
【００５８】
また、取付部材７５−１の突出部７５４は、一方向側の端部に第２規制部１４２が当接することにより、一方向へのバッフル７０の回転を規制する。これにより、取付部材７５−１の突出部７５４は、枠体１０の固定位置から回転前の位置に戻る方向へのバッフル７０の回転を抑制することができる。したがって、照明装置４は、枠体１０の係止部１２が切欠き溝７１から外れることを抑制できる。
【００５９】
また、図１４に示すように、枠体１０の固定位置において、取付部材７５−２や取付部材７５−３の突出部７５４は、回転規制部１５の一方向側から回転規制部１５に当接する。そのため、取付部材７５−２や取付部材７５−３の突出部７５４は、一方向とは反対方向側の端部に回転規制部１５が当接することにより、反対方向へのバッフル７０の回転を規制する。これにより、取付部材７５−２や取付部材７５−３の突出部７５４は、枠体１０の固定位置からさらに回転する方向へのバッフル７０の回転を抑制することができ、係止部１２に係る負荷を抑制することができる。
【００６０】
このように、照明装置４は、一方向へのバッフル７０の回転を規制する第２規制部１４２を有する回転規制部１４を１つのみ有する。これにより、バッフル７０は、回転規制部１４に対応する取付部材７５−１をバッフル７０から取り外されることにより、枠体１０に対して一方向に回転可能になる。したがって、照明装置４の設置者等は、回転規制部１４に対応する取付部材７５−１をバッフル７０から取り外し、バッフル７０を枠体１０に対して一方向に回転させることにより、係止部１２と切欠き溝７１との連結を解除することができる。すなわち、照明装置４の設置者等は、取付部材７５−２及び取付部材７５−３を取り外すことなく、回転規制部１４に対応する取付部材７５−１のみを取り外すことにより、容易に照明用ユニット２から配光用ユニット５を取り外すことができる。したがって、照明装置４の設置者等は、照明用ユニット２に種々の配光用ユニットを取り付け可能となる。このように、照明用ユニット２は、係止部１２等の種々の照明装置の構成としての利用を容易化することができる。
【００６１】
ここから、図１５及び図１６を用いて、配光用ユニット５のカバー８０等について説明する。図１５は、第２の実施形態に係るカバーとレンズホルダとの関係を示す斜視図である。図１６は、第２の実施形態に係るレンズの配置を示す平面図である。
【００６２】
図１５に示すように、カバー８０は、円板状に形成され、また、図１０及び図１１に示すように、カバー８０は、バッフル７０の他端部側に配置される。カバー８０は、バッフル７０のフランジ部７２の光取出方向側に臨む面に沿って配置される。例えば、カバー８０は、樹脂材料により形成される。
【００６３】
カバー８０の一面には、突出片８１が設けられる。例えば、カバー８０の一面には、３つの突出片８１が、カバー８０の周方向に沿って等間隔で設けられる。例えば、３つの突出片８１が、カバー８０の周方向に沿って１２０°間隔で設けられる。また、突出片８１の先端部には、バッフル７０の引掛部７３１に係止される引掛孔８１１が形成される。図１０に示すように、カバー８０は、カバー８０の突出片８１が取付溝７３内に配置され、突出片８１の引掛孔８１１が取付溝７３の引掛部７３１に係止されることにより、バッフル７０に取り付けられる。
【００６４】
カバー８０の中央部には、円形の開口部８２が形成される。これにより、照明装置４においては、カバー８０の開口部８２により照明装置４外へ光が放射される。また、カバー８０の一面には、開口部８２の周付近に沿って案内壁８４が設けられる。案内壁８４は、後述するレンズホルダ９０の基部９１の形状に沿って配置される。例えば、６つの案内壁８４が、開口部８２の周方向に沿って等間隔で設けられる。例えば、６つの案内壁８４が、開口部８２の周方向に沿って６０°間隔で設けられる。
【００６５】
ここで、図１０に示すように第２の実施形態に係るカバー８０の開口部８２は、図２に示す第１の実施形態に係るカバー５０の開口部５２よりも大径に形成される。この場合、カバー８０を用いた照明装置４の方が、カバー５０を用いた照明装置１よりも、光源３０の発光素子３１１が直接視認されること等によるグレアを生じやすい。そのため、第２の実施形態に係るバッフル７０は、第１の実施形態に係るバッフル４０よりも軸方向に長く形成される。すなわち、バッフル７０の軸方向の高さは、バッフル４０の軸方向の高さよりも高く形成される。
【００６６】
これにより、照明装置４における光源３０の発光素子３１１からカバー８０の開口部８２までの距離（第１長さ）が、照明装置１における光源３０の発光素子３１１からカバー８０の開口部８２までの距離（第２長さ）よりも長くする。そのため、照明装置４は、光源３０の発光素子３１１からカバー８０の開口部８２までの距離が第２長さである場合に比べて、開口部８２から光源３０が直接視認される範囲を狭くすることができる。すなわち、照明装置４は、照明装置１に比べて遮光角を大きくすることができる。これにより、照明装置４は、グレアを抑制することができる。
【００６７】
バッフル７０内において、枠体１０とカバー８０との間にはレンズホルダ９０やレンズ９５が配置される。図１５に示すように、レンズホルダ９０は、筒状の基部９１を有する。例えば、レンズホルダ９０は、ポリカーボネート等の樹脂材料により形成されてもよい。
【００６８】
また、基部９１の一方の外周端９２には、内周から中心に延び、基部９１の軸方向に窪んだ段差部９２１が形成される。外周端９２は、レンズホルダ９０の枠体１０に対向する側の端部である。また、外周端９２は、段差部９２１に重ねて内周から中心に延びる第１規制部９２２が形成される。例えば、外周端９２は、２つの第１規制部９２２が形成される。また、外周端９２は、段差部９２１に重ねて内周から中心に延びる第２規制部９２３が形成される。例えば、外周端９２は、３つの第２規制部９２３が形成される。図１５に示すように、第１規制部９２２と第２規制部９２３とは異なる形状である。こうすることで、レンズ９５の表裏を間違えずに取り付けることが可能となる。
【００６９】
また、レンズホルダ９０は、外周端９２と反対側の他の外周端９３の開口をカバー８０の開口部８２に重ねて配置される。図１５に示すように、レンズホルダ９０は、他の外周端９３の外周壁をカバー８０の案内壁８４に沿わせて配置される。
【００７０】
レンズホルダ９０の外周端９２には、レンズ９５が配置される。図１６に示すように、レンズ９５は、外形が外周端９２の段差部９２１と同様の形状に形成されており、レンズホルダ９０に対して、レンズホルダ９０の軸を中心とする回転方向に位置固定されて外周端９２に嵌る。また、レンズ９５は、光源３０から出射される光を楕円状に配光する。例えば、レンズ９５は、光源３０からの光が照射面において楕円形上になるように配光する光学部材である。なお、レンズ９５は、楕円状に限らず種々の形状に配光する光学部材であってもよい。
【００７１】
また、図１４に示すように、レンズホルダ９０の外周端９２に沿って、枠体１０の載置部１２１が配置される。したがって、枠体１０の固定位置において、レンズホルダ９０の外周端９２に配置されたレンズ９５は、枠体１０の載置部１２１によりレンズホルダ９０の段差部９２１側に押圧される。これにより、レンズホルダ９０の外周端９２に配置されたレンズ９５は、レンズホルダ９０の段差部９２１と枠体１０の載置部１２１との間に挟まれることにより、レンズホルダ９０の軸方向への移動が規制される。
【００７２】
また、レンズホルダ９０には、基部９１の内周壁から径方向に突出する回転用突起９１１が設けられる。例えば、複数の回転用突起９１１が、基部９１の内周壁に沿って等間隔で設けられる。図１５に示すように、回転用突起９１１は、レンズホルダ９０の軸方向に細長い形状の突起であり、照明装置４の操作者等が指等を引掛けることができる突起である。これにより、照明装置４は、簡易な構成により楕円の照射範囲を回転させ、照射範囲を容易に変更することが可能となる。
【００７３】
第１の実施形態におけるバッフル４０や第２の実施形態におけるバッフル７０のように、軸方向の高さの異なる配光用部材であっても、照明用ユニット２は、簡単に交換可能となる。このように、照明用ユニット２は、スポットライトやダウンライト等の種々のタイプの照明装置の構成としても用いることができる。
【００７４】
また、第１の実施形態及び第２の実施形態においては、光源は、ＬＥＤに限定されるものではなく、例えば、クリプトン球等の他の光源であってもよい。また、照明用ユニットが利用される照明装置は、上述のようなスポットライトやダウンライトに限らず、種々のタイプの照明装置であってもよい。
【符号の説明】
【００７５】
１      照明装置
２      照明用ユニット
１０    枠体
１１    基部
１２    係止部
１２１  載置部
１３    反射面
１４    回転規制部
１４１  第１規制部
１４２  第２規制部
１５    回転規制部
２０    ヒートシンク
３０    光源
３      配光用ユニット
４０    バッフル
４１    切欠き溝
４１１  底部
４１２  延伸部
５０    カバー
５５    遮光板
６０    レンズホルダ
６５    レンズ
４      照明装置
５      配光用ユニット
７０    バッフル
７１    切欠き溝
７１１  底部
７１２  延伸部
８０    カバー
９０    レンズホルダ
９５    レンズ
【図１】
2018186047.tif 000003
【図２】
2018186047.tif 000004
【図３】
2018186047.tif 000005
【図４】
2018186047.tif 000006
【図５】
2018186047.tif 000007
【図６】
2018186047.tif 000008
【図７】
2018186047.tif 000009
【図８】
2018186047.tif 000010
【図９】
2018186047.tif 000011
【図１０】
2018186047.tif 000012
【図１１】
2018186047.tif 000013
【図１２】
2018186047.tif 000014
【図１３】
2018186047.tif 000015
【図１４】
2018186047.tif 000016
【図１５】
2018186047.tif 000017
【図１６】
2018186047.tif 000018